(57)【特許請求の範囲】
【請求項１】
第１の面法線（１２）と、角度αを形成する第２の面法線（１４）とが存在する少なくとも１つの曲面を有する作業装置の表面構造体であって、
前記表面構造体が、ベース面（２２）と少なくとも１つの側面（２４）とを有するベース構造体（２０）を含み、
前記側面（２４）が、前記ベース面（２２）に沿って角度βを形成し、
前記角度βは、９０°よりも小さく、
前記ベース構造体（２０）の前記ベース面（２２）の面法線が、前記第１の面法線（１２）に平行であり、
前記表面構造体が、ベース面（３２）と少なくとも１つの側面（３４）とを含む異形構造体（３０）を更に含み、
角度γが、前記ベース面（３２）と前記側面（３４）との間に形成され、
前記異形構造体が、前記ベース構造体とは異なり、
前記異形構造体（３０）の前記ベース面（３２）の面法線が、前記第２の面法線（１４）と平行であり、且つ、前記角度γが、少なくとも前記角度αの量だけ前記角度βよりも小さく、
前記角度αおよび前記角度βは、前記角度γが負の値とならないように選択されている、表面構造体。
【請求項２】
前記曲面が、少なくとも１つの方向において湾曲していない、請求項１に記載の表面構造体。
【請求項３】
前記ベース構造体（２０）が、湾曲していない少なくとも１つの方向において繰り返される、請求項２に記載の表面構造体。
【請求項４】
前記異形構造体（３０）が、前記表面の湾曲方向に配置されている、請求項１〜３のいずれか一項に記載の表面構造体。
【請求項５】
２つの鏡像ベース構造体要素（２２０ａ、２２０ｂ）を含む少なくとも１つのベース構造体（２２０）を含み、且つ、２つの鏡像異形構造体要素（２３０ａ、２３０ｂ；２３１ａ、２３１ｂ；２４０ａ、２４０ｂ；２４１ａ、２４１ｂ）を含む異形構造体（２３０、２３１、２４０、２４１）を含む、請求項１〜４のいずれか一項に記載の表面構造体。
【請求項６】
鏡像異形構造体要素を含まない、追加の異形構造体が設けられる、請求項５に記載の表面構造体。
【請求項７】
作業装置であって、
その外面の少なくとも１つに請求項１〜６のいずれか一項に記載の表面構造体を有する、作業装置。
【発明の詳細な説明】
【技術分野】
【０００１】
本発明は、作業装置の把持領域と表面構造体とに関する。この表面構造体は、第１に、確実に表面を良好に把持できるようにすることを意図する。本明細書中に記載され、特許請求される本発明の観点からは、例えば、非モーター駆動及びモーター駆動装置、職人用工具、家庭用器具（特にモーター駆動家庭用器具（手持ち式ブレンダー（handheld blender）、ハンドミキサー、ハンドブレンダー（immersion blender））を含む）、湿式シェーバー（電気かみそりを含む）、電気シェーバー、ヘアケア装置（ヘアドライヤー、カールアイロン、ストレートアイロン）、並びに除毛装置（特に脱毛装置）などの装置が作業装置と見なされる。本発明は、このような表面構造体を備える作業装置にも関する。
【背景技術】
【０００２】
米国特許第１，６９０，５５７号は、金属製ハンドルを備える湿式シェーバーを開示する。このハンドルは円柱ロッド形状を有し、その表面に突出部を有する。このような突出部は、平行線パターンを適用することにより作製され得る。その結果、突出部はダイヤモンド形状のベース面を有し、小型のピラミッドのように見える。示されるパターンは、把持面全体に均一に適用される。このようなパターンは、主として金属面に好適である。しかし、ハンドルがぬれた状態では、握り部は最適ではない。突出部の高さがすべて等しいため、特に１本の指が滑り落ちると、指は、同程度に把持することができない。
【０００３】
独国特許出願公開第１０  ２００４  ０５２  ６８１  Ａ１号は、複数の装置に好適であるはずのハンドルを開示する。前記ハンドルは、いわゆる指圧機構を有しており、手の内側表面にフィットするように適応されている。したがって、このハンドルは、非常に特定の種類の手の位置に合わせて提供される。この装置が異なる位置で保持される場合、把持することは困難である。実際、把持位置が異なる場合、この装置では、平滑な握り部よりも更に不安定な、握り心地の悪い握り部がもたらされる。結果として、特定の把持位置を提案する利点は、他の把持位置に対するハンドルの適合性の低下と引き換えに得られる。
【０００４】
欧州特許出願公開第１  １２７  ５２９  Ａ１号は、ハンドル部を備える掃除機を開示する。前記ハンドル部は、硬質プラスチック材料を軟質の、把持しやすいプラスチック材料と組み合わせて作製される。軟質プラスチック材料は、ノブの形状で硬質プラスチック面を越えて突出する。したがって、握り手は、ノブからある程度の安定性を得る。しかし電動式の装置では、握り部の安定性が最大であるのは装置の電気駆動による振動発生時であり、その振動が限定的に手に伝わることは事実上避けられない。しかし、ノブの表面よりもはるかに大きい、硬質プラスチックを含む開示された表面は、遥かに振動を伝えやすい。
【先行技術文献】
【特許文献】
【０００５】
【特許文献１】米国特許第１，６９０，５５７号
【特許文献２】独国特許出願公開第１０  ２００４  ０５２  ６８１  Ａ１号
【特許文献３】欧州特許出願公開第１  １２７  ５２９  Ａ１号
【発明の概要】
【発明が解決しようとする課題】
【０００６】
したがって、本発明は、先行技術の改善、並びに作業装置の改善された表面構造体及び改善された把持領域の提供を目指す。表面構造体は、最適な把持位置に近づきつつも、安定した握り部及び異なる把持位置を可能にする必要がある。更に、前記表面構造体は、作業装置からの振動を限定的に伝え、見て美しい構造体を示す必要がある。
【図面の簡単な説明】
【０００７】
【図１】発明の表面構造体の三次元図を示す。
【図２】図１の構造体の断面図を示す。
【図３】本発明の代替の実施形態の、図２に類似の断面図を示す。
【図４】本発明の代替の実施形態の、図２に類似の断面図を示す。
【図５】本発明の代替の実施形態の、図２に類似の断面図を示す。
【図６】発明の表面構造体のより大きい切り取り部の斜視図を示す。
【発明を実施するための形態】
【０００８】
前記利点を有する表面構造体は、請求項１に特許請求される表面構造体である。従属請求項の表面構造体は、特定の利点を提供する。
【０００９】
したがって本発明によると、表面構造体は、少なくとも１つの曲面を有する作業装置向けに設けられる。したがって前記表面には、湾曲が発生する少なくとも１つの方向がある。この表面には、この方向に沿って、少なくとも第１の面法線及びゼロではない角度αを形成する第２の面法線が存在する。
【００１０】
表面が一方向に湾曲していない場合、曲面は、頂点又は頂点軸を有する。第１の面法線は、頂点又は頂点軸を通過するように有利に選択してよい。
【００１１】
表面構造体は、ベース構造体を有する。前記ベース構造体は、少なくとも１つのベース面と、少なくとも１つの側面とを含む。側面は、ベース面に沿って角度βを形成する。そうすることで、面法線がベース面の中心にあり、曲面の面法線に平行であり、ベース構造体の位置にある（ベース面の中心の位置は任意にベース構造体である）ように、ベース面がベース構造体に配置される。したがって、ベース面は、表面構造体の区域に位置してよい。ベース構造体が表面構造体にとって不可欠な部分である場合、ベース構造体のベース面は、ベース構造体付近における表面構造体の外挿に起因する。表面構造体は、ベース面及び側面を同様に含む、異形構造体を更に含む。角度γは、異形構造体のベース面と側面との間に形成される。本発明によると、異形構造体はベース構造体とは異なり、角度γは、角度αの量だけ角度βよりも小さい。
【００１２】
ベース面と側面との間の角度が測定され、湾曲の頂点から最も離れているとき、有利であることが判明している。そうすることで、頂点から最も離れているベース構造体又は異形構造体の地点で測定することが最良であり得る。
【００１３】
好適な異形構造体は、数学的な意味でベース構造体と相似の構造体（すなわち、ベース構造体を拡大又は縮小した結果として得られる構造体）であろう。
【００１４】
本発明の実施形態では、曲面はＦ方向に湾曲していない。このような表面は、例えば円柱面であってよく、作業装置の把持面として特に好適である。
【００１５】
本発明の実施形態では、ベース構造体が、このＦ方向で繰り返される。例えば、複数のベース構造体が、Ｆ方向に等距離で繰り返されてよい。これは、１０を超える、２５を超える、又は１００を超えるベース構造体であってよい。
【００１６】
本発明の実施形態では、表面構造体は、Ｆ方向に垂直な湾曲方向Ｗを有してよく、表面構造体はこの方向に湾曲する。本発明の実施形態によると、表面構造体は、Ｗ方向に異形構造体を有してよい。
【００１７】
本発明の実施形態では、表面構造体は、Ｗ方向に複数の異形構造体を有してよい。
【００１８】
本発明の実施形態では、それぞれの角度γは、前記複数の異形構造体で連続的に減少してよい。
【００１９】
本発明の実施形態では、すべての角度γは、複数の異形構造体で４５°未満であってよい。前記実施形態は、把持端部が鋭角にならないようにする。
【００２０】
本発明の実施形態では、表面構造体は、２つの鏡像ベース構造体要素を有する少なくとも１つのベース構造体と、２つの鏡像異形構造体要素を有する１つの異形構造体とを含む。
【００２１】
図１は、Ｗ方向への曲面１０を示す。Ｗ方向に対して垂直のＦ方向では、表面１０は平坦である。この表面１０では、ベース構造体２０は、表面の中心部に示される領域に描かれている。ベース構造体は、Ｆ方向及びＷ方向で自身を繰り返す。これらのベース構造体は表面とともに、本発明における表面構造体をもたらす。異形構造体３０は、表面１０の端部に描かれている。異形構造体もＦ方向で繰り返す。
【００２２】
図２は、図１に示される表面構造体の断面図を示す。対象の表面１０は、第１の法線１２を有する。第１の法線１２は、表面１０の頂点軸を通過する。更に、表面は、角度αで第２の法線１４を有する。表面は、ベース面２２と側面２４とを有するベース構造体２０を有する。側面２４は、表面とともに角度βを形成する。表面１０は、異形構造体３０を更に有する。異形構造３０体は、ベース面３２と側面３４とを有する。側面３４は、表面１０とともに角度γを形成する。角度γは角度βよりも小さいことが観察できる。本発明によると、角度γは、少なくとも角度αの量だけ角度βよりも小さい。つまり、この図では、異形構造体は、ベース構造体から離れるにつれて、より小さくなる角度γを有する。したがって、ベース構造体２０から遠く離れている異形構造体３０は、表面１０をほんのわずかだけ越えて突出する構造体である。
【００２３】
図３は、ベース構造体及び異形構造体の代替の配置の断面図を示す。この配置では、曲面の頂点（法線１２の通過点で示される）の片側にある第１のベース構造体１２０と、曲面の頂点の反対側にある対応する鏡像ベース構造体１２１とが存在する。ベース構造体１２０は、数学的に相似の異形構造体１３０で表面に自身を繰り返す。異形構造体の側面とベース面とがなす角度を示す角度γ．１は、対応する角度βよりも小さい。更に、ベース構造体１２１と相似である別の異形構造体１３１が示されるが、この異形構造体は、今度は角度βよりも小さい、側面とベース面とがなす角度γ．２を有する。また角度γ．２は、角度γ．１よりも小さい。これは、異形構造体１３１が湾曲方向Ｗに沿って、ベース構造体１２０からより大きい角度αだけ離れているからである。図３は、異形構造体１４０及び１４１も示す。これらは、ベース構造体１２１の数学的に相似の縮小を表す。これらは、側面とベース面との間に同一の角度を有する。したがって、今度は角度βは、異形構造体１４０の角度γ．１よりも大きい。一方で、異形構造体１４０の角度γ．１は異形構造体１４１の角度γ．２よりも大きい。
【００２４】
図４は、本発明の別の実施形態の断面図を示す。この場合、２つの鏡像要素（ベース構造体要素２２０ａ及びベース構造体要素２２０ｂ）を含む、ベース構造体２２０が設けられる。ベース構造体の鏡面では、法線１２について示されるように表面の頂点軸が通っている。このベース構造体２２０は、異形構造体でも繰り返されている。前記異形構造体は、ベース構造体と数学的に相似である。したがって、これらも２つの要素を受け入れる。
【００２５】
異形構造体２３０及び２３１（並びにこれらの要素２３０ａ、２３０ｂ、２３１ａ、及び２３１ｂ）は、ベース構造体に隣接する。異形構造体２４０及び２４１は、表面の湾曲方向Ｗに沿って更に外側に配置される。ベース構造体から更に離れたこれらの異形構造体は、今度は、側面とベース面との間により小さい角度を有する。構造体２３０の角度γ１及びγ２は、構造体２３１の対応する角度γ１及びγ２と同じ大きさである。構造体が鏡像であっても、角度γ１とγ２とは同じ大きさではないことに留意されたい。すなわち、角度γ１及びγ２は、湾曲の軸から最も遠い側面において測定される。
【００２６】
異形構造体２４０及び２４１（並びにこれらの要素２４０ａ、２４０ｂ、２４１ａ、及び２４１ｂ）は、ベース構造体から更に離れている。これらは、ベース構造体並びに異形構造体２３０及び２３１と相似である。しかし、これらの角度は、異形構造体２３０及び２３１の対応する角度よりも小さい。したがって、角度γ３は対応する角度γ１よりも小さく、角度γ４は対応する角度γ２よりも小さい。γ１とγ３との差は、曲面におけるこれらの軸の位置によって決定され、且つ角度α１とα３との差に相当する。角度α１及びα３は、法線に対して、頂点軸によってそれぞれ決定される。したがって、これにより、角度γ２とγ４との差がもたらされる。
【００２７】
図５は、本発明の別の実施形態の断面図を示す。これは、多くの要素において、少なくとも本質的に図４の実施形態に対応する。これは、ベース構造体２２０並びに異形構造体２３０及び２３１に当てはまる。ベース構造体の鏡面では、法線１２について示されるように表面の頂点軸が通っている。しかし、（より大きい角度αで）更に外側に配置される異形構造体（図では、異形構造体２４０及び２４１）はベース構造体の両方の要素とは相似ではないが、異形構造体も配置される、法線１２の側に配置されるベース構造体の要素だけと相似である。したがって、法線１２から遠く離れたこの構造体は、図３の構造体に対応する。法線１２付近では、この構造体から逸脱し、図４の構造体に対応する。
【００２８】
図５の構造体は、法線１２付近における干渉光反射、いわゆるライトエッジを防止することが示されている。このような光反射は、作業装置のユーザーに干渉し、したがって作業上の安全性をも低下させる場合がある。
【００２９】
図６は、本発明による表面構造体の大きい切り取り部の斜視図である。この切り取り部では、領域３００が、把持領域として特に好適であることが明らかである。この領域は、例えば、親指を配置するのに役立つ。その結果、親指はこの領域に手の他の部分よりも高い圧力を加える。しかし、手のこれらの部分は、とりわけ領域３０２ａ及び３０２ｂを含む領域３０２に配置され、更にしっかり把持できるようにする。しかし、把持中心部３００から更に離れた表面部分では、作業装置と握り手との間のつながりはそれほどしっかりしていない。これは、振動がより弱い強度で伝わるという利点を有する。示されている把持パターンは、この点において直感的である。これは、通常、領域３００に強い圧力を加えるために、親指が領域３００にしっかりと配置されるためである。一方、表面構造体が多数の把持位置を実現できるように、別の指又は手の別の領域を領域３００に配置することも可能である。
【図１】
0005405652.tif 000002
【図２】
0005405652.tif 000003
【図３】
0005405652.tif 000004
【図４】
0005405652.tif 000005
【図５】
0005405652.tif 000006
【図６】
0005405652.tif 000007